(57)【要約】      （修正有）【課題】複雑な構成ではなく簡易に安全に誘導や警告などの案内ができる点字ブロックを提供する。【解決手段】点字ブロック４０は、ブロック本体４１に複数の点状突起４２を有している。複数の点状突起４２は、第１の色を有する０個、１個または複数の第１の点状突起４２ａと、第１の色と異なる第２の色を有する０個、１個または複数の第２の点状突起４２ｂから構成されている。点字ブロック４０の第１の点状突起４２ａと第２の点状突起４２ｂは、ビットとして用いられており、所定の規則に従って配列されコード化されている。また、点字ブロック４０は、ブロック本体４１に配列の基準を示す目印４３を有している。【選択図】図１
0003208457.tif 000002
【実用新案登録請求の範囲】
【請求項１】
ブロック本体に複数の点状突起を有する点字ブロックにおいて、
前記複数の点状突起は、それぞれが所定の色で形成されており、前記それぞれの所定の色が所定の規則に従って配列されコード化されており、前記ブロック本体に前記配列の基準を示す目印を有し、カメラで撮影され画像認識処理されるように構成されていることを特徴とする点字ブロック。
【請求項２】
前記所定の色は、第１の色及び前記第１の色と異なる第２の色の２種類であり、
前記複数の点状突起は、前記第１の色を有する０個、１個または複数の第１の点状突起と、前記第２の色を有する０個、１個または複数の第２の点状突起から構成され、
前記第１の点状突起と前記第２の点状突起は、ビットとして用いられ、所定の規則に従って配列されコード化されており、カメラで撮影され画像認識処理されるように構成されていることを特徴とする請求項１に記載の点字ブロック。
【請求項３】
前記目印は、直角三角形であり、各辺が異なる長さであることを特徴とする請求項１または請求項２に記載の点字ブロック。
【請求項４】
前記コード化された点状突起は、音声案内情報と対応していることを特徴とする請求項１から請求項３のいずれかに記載の点字ブロック。
【考案の詳細な説明】
【技術分野】
【０００１】
本考案は、点字ブロックに関する。
【背景技術】
【０００２】
地面や床面にブロックを敷設することで視覚障害者を安全に誘導する点字ブロック（正式には視覚障害者誘導用ブロックという）は、歩道・鉄道駅・公共施設・民間の商店の出入り口近くなどに設置されている（特許文献参照）。この点字ブロックには、誘導ブロック（線状ブロックともいう）と警告ブロック（点状ブロックともいう）の２種類があり、誘導ブロックは、線が並んだ形状をしており進行方向を示すブロックで、足裏、白杖などで確認しながら突起の方向に進むことができるものである。
【０００３】
また、警告ブロックは、危険箇所や誘導対象施設などの位置を示すブロックであり、点が並んでいる形状をしており、階段前・横断歩道前・誘導ブロックが交差する分岐点・案内板の前・障害物の前・駅のホームの端などに設置されている。この警告ブロックは、点状突起を有しており、この点状突起は注意を喚起する位置を示すための突起であり、配列は並列配列である。点状突起が配列されているブロックの大きさは３０ｃｍ四方以上で、点状突起の数は２５（５×５）点を下限として、ブロックの大きさに応じて増やすことができるものである。
【先行技術文献】
【特許文献】
【０００４】
【特許文献１】特開平０９−１７３３７９公報
【考案の概要】
【考案が解決しようとする課題】
【０００５】
上記の視覚障害者に誘導や警告のための点字ブロック、特に駅のホームの端、横断歩道前などの危険個所で警告をする点字ブロックは、十分な案内ができないという問題があった。
【０００６】
そこで本考案は、このような課題を解決するためになされたもので、複雑な構成ではなく簡易に安全に誘導や警告などの案内ができる点字ブロックを提供することを目的とする。
【課題を解決するための手段】
【０００７】
上記課題を解決するために、本考案に係る点字ブロックは、ブロック本体に複数の点状突起を有する点字ブロックにおいて、前記複数の点状突起は、それぞれが所定の色で形成されており、前記それぞれの所定の色が所定の規則に従って配列されコード化されており、前記ブロック本体に前記配列の基準を示す目印を有し、カメラで撮影され画像認識処理されるように構成されていることを特徴とする。
【０００８】
本考案に係る点字ブロックの態様について、前記所定の色は、第１の色及び前記第１の色と異なる第２の色の２種類であり、前記複数の点状突起は、前記第１の色を有する０個、１個または複数の第１の点状突起と、前記第２の色を有する０個、１個または複数の第２の点状突起から構成され、前記第１の点状突起と前記第２の点状突起は、ビットとして用いられ、所定の規則に従って配列されコード化されており、カメラで撮影され画像認識処理されるように構成されていることが好ましい。
【０００９】
本考案に係る点字ブロックの態様について、前記目印は、直角三角形であり、各辺が異なる長さであることが好ましい。
【００１０】
本考案に係る点字ブロックの態様について、前記コード化された点状突起は、音声案内情報と対応していることが好ましい。
【考案の効果】
【００１１】
本考案によれば、複雑な構成ではなく簡易に安全に誘導や警告などの案内ができる点字ブロックを提供することができる。
【図面の簡単な説明】
【００１２】
【図１】実施形態の点字ブロックの使用の一例を示す模式図である。
【図２】実施形態の点字ブロックの一例を説明する模式図である。
【図３】実施形態の点字ブロックの他の使用の例を示す模式図である。
【考案を実施するための形態】
【００１３】
以下、本考案の点字ブロックについて図１から図３を用いて説明する。
【００１４】
図１に示すように、実施形態の点字ブロック４０は、音声案内装置付白杖１０を使用している視覚障害者Ｈに対して、白杖２０に装着されている音声案内装置３０を介して音声で誘導、警告などの案内をするものであり、以下各構成について説明する。
【００１５】
図２に示すように、点字ブロック４０は、ブロック本体４１に複数の点状突起４２を有しており、複数の点状突起４２は、第１の色を有する０個、１個または複数の第１の点状突起４２ａと、第１の色とは異なる第２の色を有する０個、１個または複数の第２の点状突起４２ｂから構成されている。
【００１６】
点字ブロック４０の第１の点状突起４２ａと第２の点状突起４２ｂは、ビットとして用いられており、所定の規則に従って配列され、コード化されている。カメラで撮影されることで画像認識処理されるように構成されている。また、点字ブロック４０は、ブロック本体４１に配列の基準を示す目印４３を有している。
【００１７】
なお、上記の例は、点状突起４２の色を２つの色で説明しているが、これに限定されず、点状突起４２は、それぞれが異なる所定の色で形成されており、それぞれの所定の色が所定の規則に従って配列されコード化されており、カメラ３１で撮影され画像認識処理されるように構成されてもよい。すなわち、上記の例では、点状突起４２の色の種類は２つであるが、色の種類を３つ、４つまたはそれ以上であってもよい。このように色の種類を多くすることで、コードの種類を多くすることができる。
【００１８】
また、ブロック本体４１に設けられている目印４３は、実施形態においては、各辺が異なる直角三角形であり、このような形状にすることで、方向性や角度性を有しコード化された情報を特定することができる。また、コード化された情報は、音声で案内をする音声案内情報と対応するように構成されている。なお、図２の例は、２５ビット２進コードであり、００００１０１００００００００００００００００１０を表している。
【００１９】
上記のとおり、点字ブロック４０は、音声案内装置付白杖１０を使用している視覚障害者Ｈに対して、白杖２０に装着されている音声案内装置３０を介して音声で誘導、警告などの案内をするものであり、以下音声案内装置３０について説明する。音声案内装置３０は、視覚障害者Ｈに対して警告をする点字ブロック４０に施されコード化されている第１の色を有する第１の点状突起４２ａ、第１の色と異なる第２の色を有する第２の点状突起４２ｂ及び目印４３を撮影するカメラ３１を有している。
【００２０】
音声案内装置３０は、カメラ３１で撮影された点字ブロック４０のコード化された点状突起４２の画像データを、画像認識処理し対応する音声データに変換する制御部３２を有し、この音声データを音声として出力する音声発生器の一例であるスピーカー３３を有している。
【００２１】
音声発生器は、一例としてスピーカー３３を用いているが、これに限定されず、例えば、イヤホーンを用いてもよく、携帯端末に転送してこの携帯端末から視覚障害者Ｈに通知してもよい。
【００２２】
音声案内装置付白杖１０は、白杖２０の先端部２１が、例えば、点字ブロック４０の任意の部分に接することで、カメラ３１が、点字ブロック４０のコード化された点状突起４２を撮影し、画像データが制御部３２に送られ、制御部３２が、この画像データを画像認識処理することでコードを抽出した後、このコードに対応する音声データに変換され、そしてスピーカー３３で音声データが音声に変換され伝達される。
【００２３】
上記の点字ブロック４０は、例えば、横断歩道です、という音声を発するためのコード、つまり第１の点状突起４２ａと第２の点状突起４２ｂの配列によるコードが施されており、また、他の領域においては、例えば、階段です、という音声を発するためのコードが施されている構成である。このような点字ブロック４０は、例えば、横断歩道、階段、分かれ道、バス停留所、エスカレータ、エレベータ、トイレ、駅構内の案内、駅ホーム乗車口、施設内の案内などに設置されるものである。
【００２４】
また、図３に示すように、本考案の点字ブロック４０を用いることで、制御部３２は、カメラ３１で撮影された点字ブロック４０の方向を、目印４３を用いて判別することで、方向性に対応する音声データに変換することができる。すなわち、図の左側から進行すれば、上り階段終了です、という音声で案内され、一方、図の右側から進行すれば、下り階段です、という音声で案内される。これは、目印４３の方向情報としての機能に、角度情報としての機能を加えることでこのような判別を行うことができる。
【００２５】
上記のような特徴を有する本考案の点字ブロック４０は、簡易な構成で視覚障害者Ｈは、音声案内装置付白杖１０を用いてコード化された点状突起４２を撮影し、それを画像認識処理することで音声として聞くことができ、視覚障害者に対する音声案内の普及を図ることができるものである。
【００２６】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２７】
また、本考案の点字ブロックの大きさや形状、素材の厚さ、重さなどについては多様な実施形態が可能であり、それらについて本実施形態と異なる形態による実施は、本考案の技術的範囲に含まれる。
【符号の説明】
【００２８】
１０    音声案内装置付白杖
２０    白杖
２１    先端部
３０    音声案内装置
３１    カメラ
３２    制御部
３３    スピーカー
４０    点字ブロック
４１    ブロック本体
４２    点状突起
４２ａ  第１の点状突起
４２ｂ  第２の点状突起
４３    目印
Ｈ      視覚障害者
【図１】
0003208457.tif 000003
【図２】
0003208457.tif 000004
【図３】
0003208457.tif 000005